(57)【要約】【課題】充電池の電力量を容易に認識できるようにする。【解決手段】電力供給側携帯機器１１０が近接してネゴシエーションが成功すると、電力供給側携帯機器１１０から電池残量及び電池最大容量の情報を受信する。そして、受信した電池情報、及び充電池１０３の電池残量及び電池最大容量の情報に基づいて、表示スケールとして用いるパラメータを設定し、前記設定したパラメータの表示スケールを用いて電池情報を表示部１０１に表示するようにして、充電ステータスに応じて必要な情報が判りやすくする。【選択図】図１
2010119224.tif 000002
【特許請求の範囲】
【請求項１】
充電池を充電する充電装置であって、
電池により電力を供給する電力供給機器から供給された電力を受け取り、前記受け取った電力を用いて充電池を充電する充電手段と、
前記電力供給機器の電池残量に係る第１の情報と前記充電池の残量と容量とに係る第２の情報とを取得する取得手段と、
前記充電池の残量と前記電力供給機器に要求する充電量に係る電池情報を表示する表示手段と、
前記取得手段によって取得された第１の情報と第２の情報とに基づいて、前記表示手段が表示する電池情報の表示スケールを設定する設定手段と、
前記電力供給機器に要求する充電量を決定する決定手段と、
前記要求する充電量の情報を前記電力供給機器に送る送信手段とを備えたことを特徴とする充電装置。
【請求項２】
前記表示手段は、前記要求する充電量の設定指示に応じて、前記充電池の残量と前記電力供給機器に要求可能な電力量とを識別できるように表示する第１の電池情報を表示し、前記設定手段は、前記電力供給機器の電池残量と前記充電池の残量の合計と前記充電池の容量との比較結果に応じて前記第１の電池情報のスケールを設定することを特徴とする請求項１記載の充電装置。
【請求項３】
前記設定手段は、前記電力供給機器の電池残量と前記充電池の残量との合計が前記充電池の容量よりも小さい場合には、前記電力供給機器の電池残量と前記充電池の残量との合計を前記第１の電池情報のスケールに設定し、前記電力供給機器の電池残量と前記充電池の残量との合計が前記充電池の容量よりも大きい場合には、前記充電池の容量を前記第１の電池情報のスケールに設定することを特徴とする請求項２記載の充電装置。
【請求項４】
前記表示手段は、前記決定手段により決定された充電量に応じて前記第１の電池情報の表示を変更することを特徴とする請求項２または３記載の充電装置。
【請求項５】
前記第１の情報は、前記電力供給機器の電池容量の情報を含み、
前記表示手段は、前記取得手段が第１の情報を取得したことに応じて前記電力供給機器の電池残量を示す第２の電池情報を表示し、前記設定手段は、前記電力供給機器の電池容量を前記第２の電池情報のスケールに設定することを特徴とする請求項１から４の何れか１項に記載の充電装置。
【請求項６】
前記表示手段は、前記充電手段により充電を開始したことに応じて、前記充電池の残量を示す第３の電池情報を表示し、前記設定手段は、前記充電手段が充電を開始する前の前記充電池の残量と前記要求した充電量との合計を前記第３の電池情報のスケールに設定することを特徴とする請求項１から５の何れか１項記載の充電装置。
【請求項７】
前記表示手段は、前記要求する充電量の設定指示に応じて、前記充電池の残量に基づく動作時間と前記電力供給機器に要求可能な電力量に基づく動作時間とを識別できるように表示する第１の電池情報を表示し、前記設定手段は、前記電力供給機器の電池残量と前記充電池の残量の合計と前記充電池の容量との比較結果に応じて前記第１の電池情報のスケールを設定することを特徴とする請求項１記載の充電装置。
【請求項８】
充電池を充電する充電装置の制御方法であって、
電池により電力を供給する電力供給機器から供給された電力を受け取り、前記受け取った電力を用いて充電池を充電する充電工程と、
前記電力供給機器の電池残量に係る第１の情報と前記充電池の残量と容量とに係る第２の情報とを取得する取得工程と、
前記充電池の残量と前記電力供給機器に要求する充電量に係る電池情報を表示手段に表示する表示工程と、
前記取得工程において取得された第１の情報と第２の情報とに基づいて、前記表示手段が表示する電池情報の表示スケールを設定する設定工程と、
前記電力供給機器に要求する充電量を決定する決定工程と、
前記要求する充電量の情報を前記電力供給機器に送る送信工程とを備えたことを特徴とする充電装置の制御方法。
【請求項９】
充電池を充電する充電装置の制御方法の各工程をコンピュータに実行させるプログラムであって、
電池により電力を供給する電力供給機器から供給された電力を受け取り、前記受け取った電力を用いて充電池を充電する充電工程と、
前記電力供給機器の電池残量に係る第１の情報と前記充電池の残量と容量とに係る第２の情報とを取得する取得工程と、
前記充電池の残量と前記電力供給機器に要求する充電量に係る電池情報を表示手段に表示する表示工程と、
前記取得工程において取得された第１の情報と第２の情報とに基づいて、前記表示手段が表示する電池情報の表示スケールを設定する設定工程と、
前記電力供給機器に要求する充電量を決定する決定工程と、
前記要求する充電量の情報を前記電力供給機器に送る送信工程とをコンピュータに実行させることを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は充電装置、充電装置の制御方法、プログラム及び記憶媒体に関し、特に、充電池を用いた電子機器間で充電を行うために用いて好適な技術に関する。
【背景技術】
【０００２】
従来、他の携帯機器と誘導結合により非接触にて電力を充電あるいは供給する技術が知られている。例えば、特許文献１に記載の技術では、まず、充放電可能な自機器の充電池残量を検知しておき、他機器に近づけられると、他機器の充電池残量を検知する。次に、双方の充電池残量に基づいて、非接触状態で自機器の充電池から放電して他機器へ電力を供給する状態と、他機器の充電池から放電した電力を自機器の充電池へ充電する状態とを切り替える。これにより、自機器の充電池の充電又は放電を制御している。
【０００３】
また、満充電電圧の異なる充電池が自機器に装着された場合でも、電池種別の検出結果を基に充電池の種別を判別し、判別した充電池の種別毎に正規化して表示する電池残量表示装置が知られている（例えば、特許文献２参照）。
【０００４】
【特許文献１】特開２００５−１５１６０９号公報
【特許文献２】特開平１１−２１５７１８号公報
【発明の開示】
【発明が解決しようとする課題】
【０００５】
電力を供給する側の機器が充電池電源である場合、商用電源に繋がった据置機器から充電する場合と違って、充電側の携帯機器の充電池が常に満充電になるまで充電可能であるとは限らない。このような機器間で充電する場合には、まず、電力を供給する側の機器の電池残量を知ることが重要となる。ところが、電力を供給する側の機器に電池残量を表示する機能が搭載されていないこともあり、電力を供給する側の機器の電池残量を充電側の携帯機器で表示しようとする要望がある。
【０００６】
しかし、従来は充電側の機器に装着された充電池の種別毎の満充電容量で正規化して表示することしかできないため、電力を供給する側の機器の電池残量が全量に近いのか半分位なのかといった供給マージンを認識できない。
【０００７】
また、電力を供給する側の機器の電池残量の全電力を充電側の機器へ単純に移動させるような充電をすると、充電後に電力を供給する側の機器が動作不能になってしまうこともある。したがって、両機器の連携動作により一連の作業を実行して充電する場合は、両機器で電力を分け合うように、充電してもらう電力を全量以外に指定したい。そこで、電力を供給する側の機器から供給される電力量を指定する作業を充電側の機器で行い、供給してもらう電力量の情報を表示させるようにする要望がある。
【０００８】
しかし、前述したように、従来は充電側の機器に装着された充電池の種別毎の満充電容量で正規化して表示することしかできないため、電力の指定量が、電力を供給する側の機器の電池残量の全量に近いのか半分位なのかといった受取配分を認識しにくい。
【０００９】
さらに充電池が供給源である場合、供給される電力量が制限されることにより、充電側の機器の充電池が満充電にならず、中途充電で完了する状況が発生しやすい。そのため、満充電にならない中途充電において充電進捗状況を表示させようとする要望がある。
【００１０】
しかし、前述したように、充電経過を表示させる場合には、充電側の機器に装着された充電池の種別毎の満充電容量で正規化して表示することしかできない。このため、まだ半分なのか、終了に近いのかといった満充電にならない中途充電の進捗状況が認識しにくい。
【００１１】
以上のように、充電側の機器に装着された充電池の種別によって、電力量や進捗情報の表示が異なってしまい、認識しづらいという問題点があった。
【００１２】
本発明は前述の問題点に鑑み、充電池の電力量を容易に認識できるようにすることを目的としている。
【課題を解決するための手段】
【００１３】
本発明の充電装置は、充電池を充電する充電装置であって、電池により電力を供給する電力供給機器から供給された電力を受け取り、前記受け取った電力を用いて充電池を充電する充電手段と、前記電力供給機器の電池残量に係る第１の情報と前記充電池の残量と容量とに係る第２の情報とを取得する取得手段と、前記充電池の残量と前記電力供給機器に要求する充電量に係る電池情報を表示する表示手段と、前記取得手段によって取得された第１の情報と第２の情報とに基づいて、前記表示手段が表示する電池情報の表示スケールを設定する設定手段と、前記電力供給機器に要求する充電量を決定する決定手段と、前記要求する充電量の情報を前記電力供給機器に送る送信手段とを備えたことを特徴とする。
【００１４】
本発明の充電装置の制御方法は、充電池を充電する充電装置の制御方法であって、電池により電力を供給する電力供給機器から供給された電力を受け取り、前記受け取った電力を用いて充電池を充電する充電工程と、前記電力供給機器の電池残量に係る第１の情報と前記充電池の残量と容量とに係る第２の情報とを取得する取得工程と、前記充電池の残量と前記電力供給機器に要求する充電量に係る電池情報を表示手段に表示する表示工程と、前記取得工程において取得された第１の情報と第２の情報とに基づいて、前記表示手段が表示する電池情報の表示スケールを設定する設定工程と、前記電力供給機器に要求する充電量を決定する決定工程と、前記要求する充電量の情報を前記電力供給機器に送る送信工程とを備えたことを特徴とする。
【００１５】
本発明のプログラムは、充電池を充電する充電装置の制御方法の各工程をコンピュータに実行させるプログラムであって、電池により電力を供給する電力供給機器から供給された電力を受け取り、前記受け取った電力を用いて充電池を充電する充電工程と、前記電力供給機器の電池残量に係る第１の情報と前記充電池の残量と容量とに係る第２の情報とを取得する取得工程と、前記充電池の残量と前記電力供給機器に要求する充電量に係る電池情報を表示手段に表示する表示工程と、前記取得工程において取得された第１の情報と第２の情報とに基づいて、前記表示手段が表示する電池情報の表示スケールを設定する設定工程と、前記電力供給機器に要求する充電量を決定する決定工程と、前記要求する充電量の情報を前記電力供給機器に送る送信工程とをコンピュータに実行させることを特徴とする。
【００１６】
本発明の記憶媒体は、前記に記載のプログラムを記憶したことを特徴とする。
【発明の効果】
【００１７】
本発明によれば、充電ステータスに応じて必要な情報が判りやすいように電池情報を表示することができる。
【発明を実施するための最良の形態】
【００１８】
（第１の実施形態）
以下、本発明の実施形態について図面を参照しながら説明する。
図１は、本実施形態に係る充電側及び電力供給側の携帯機器の構成例を示すブロック図である。本実施形態では、電力供給機器である電力供給側携帯機器１１０から充電側携帯機器１００に対し、公知の電磁誘導方式を用いて電力を供給する。
図１において、１００は充電される側の充電側携帯機器である。充電側携帯機器１００は、表示部１０１、充電部１０２、充電池１０３、残量検知部１０４、無線通信部１０５及び主制御部１０６を備えている。
【００１９】
充電部１０２は、後述する電力供給側携帯機器１１０の電力供給部１１２から非接触で電力を受け取るためのものである。充電池１０３は、充電部１０２で受け取った電力を充電するための充電池である。残量検知部１０４は、装着された充電池１０３の電池残量を検知するためのものである。
【００２０】
無線通信部１０５は、後述する電力供給側携帯機器１１０の無線通信部１１５と通信するためのものである。そして、主制御部１０６は、充電側携帯機器１００の各部を統合的に制御する制御部である。
【００２１】
一方、１１０は電力を供給する電力供給側携帯機器である。電力供給側携帯機器１１０は、表示部１１１、電力供給部１１２、充電池１１３、残量検知部１１４、無線通信部１１５及び主制御部１１６を備えている。
【００２２】
電力供給部１１２は、充電側携帯機器１００の充電部１０２へ非接触で電力を供給するためのものである。充電池１１３は、電力供給部１１２から電力を供給するための電源として機能する充電池である。残量検知部１１４は充電池１１３の電池残量を検知するためのものである。
【００２３】
無線通信部１１５は、充電側携帯機器１００の無線通信部１０５と通信するためのものである。主制御部１１６は、電力供給側携帯機器１１０の各部を統合的に制御するための制御部である。
【００２４】
また、充電池１０３、１１３はそれぞれ、不図示の電池装着、排出機構によりそれぞれ充電側携帯機器１００、電力供給側携帯機器１１０に装着され、ユーザーは、自由に充電池１０３、１１３を交換することが可能である。
【００２５】
図２は、充電を実行する際にユーザーにより行われる操作の概要を説明する図である。
まず、第１の操作２０１として、ユーザーにより充電側携帯機器１００における電池残量を確認する操作及び充電準備操作が行われる。次に、第２の操作２０２として、ユーザーによって電力供給側携帯機器１１０と充電側携帯機器１００とを近接させる操作が行われる。そして、第３の操作２０３として、ユーザーによって電力供給側携帯機器１１０における電池残量を確認する操作が行われる。
【００２６】
次に、第４の操作２０４として、ユーザーにより電力供給側携帯機器１１０から充電側携帯機器１００に充電する電力の量を決める操作が行われる。そして、第５の操作２０５として、ユーザーにより充電側携帯機器１００に充電を開始する操作が行われる。その後、充電が終ったら、第６の操作２０６として、ユーザーにより電力供給側携帯機器１１０と充電側携帯機器１００とを離反させる操作が行われて終了する。
【００２７】
図３は、本実施形態において、充電側携帯機器１００における主制御部１０６により行われる処理手順の一例を示すフローチャートである。また、図４は、本実施形態において、充電操作ステータスに応じて表示可能な電池残量の表示イメージの一例を示す図である。
【００２８】
まず、図３のステップＳ３０１において、キー入力などのユーザーインターフェースから充電側携帯機器１００の充電池１０３を充電準備する指示を受けているかどうかの判断を行う。この判断の結果、充電準備する指示を受けていない場合は、ステップＳ３２１に進む。
【００２９】
ステップＳ３２１においては、図４（Ａ）に示す様に、残量検知部１０４において検知する充電側携帯機器１００の電池残量の情報４０２を表示部１０１に表示する。この際、表示スケール４０１が充電側の充電池１０３の最大容量になるように設定する。
【００３０】
図４（Ａ）に示すものは、従来からの電池残量表示であり、電池残量の情報４０２は機器自身の電池最大容量スケールで正規化されているので、機器自身の電池容量に対して相対的な電池残量が即座に認識できる。なお、図４（Ａ）に示す表示情報は、以下の数１に示す式により表すことができる。
【００３１】
【数１】
2010119224.tif 000003
【００３２】
一方、ステップＳ３０１の判断の結果、充電準備する指示を受けている場合は、ステップＳ３０２に進む。そして、ステップＳ３０２において、電力を供給する電力供給側携帯機器１１０が近接してきたか否かを判断する。この判断の結果、近接していない場合はそのまま待機し、近接してきた場合は、ステップＳ３０３に進む。なお、近接を検知する方法としては周知の従来技術を用いて行うため、詳細な説明は省略する。
【００３３】
ステップＳ３０３において、無線通信部１０５は電力供給側の無線通信部１１５と通信し、電力供給側携帯機器１１０が充電側携帯機器１００に電力供給可能な機器としてネゴシエーションが成功したかどうかを判断する。この判断の結果、ネゴシエーションが成功した場合は、次のステップＳ３０４に進む。一方、ステップＳ３０３の判断の結果、ネゴシエーションが成功しなかった場合は、前述したステップＳ３２１に進む。
【００３４】
次に、ステップＳ３０４において、電池情報を取得するために、無線通信部１０５は電力供給側の無線通信部１１５と通信して、第１の情報である電力供給側携帯機器１１０の電池残量及び電池最大容量の情報を受信し、ステップＳ３０５に進む。そして、ステップＳ３０５において、図４（Ｂ）に示すように、残量検知部１１４において検知する電力供給側携帯機器１１０の電池残量の情報４０４を表示部１０１に表示する。この際、表示スケール４０３が電力供給側の充電池１１３の最大容量になるように設定する。
【００３５】
図４（Ｂ）に示す残量表示は、図２の第３の操作２０３において、第２の電池情報として、充電を開始する前に電力供給側の供給マージンを認識するために表示されるものである。電池残量の情報４０４は電力供給側携帯機器１１０の電池最大容量スケールで正規化されているので、電力供給側のおおよその供給マージンを認識することができる。なお、図４（Ｂ）に示す表示情報は、以下の数２に示す式によって表すことができる。
【００３６】
【数２】
2010119224.tif 000004
【００３７】
次に、ステップＳ３０６において、ユーザーが供給マージンを見た結果、図２の第４の操作２０４として充電する量を決める操作を手動で行う設定指示が出ているかどうかの判断を行う。この判断の結果、充電する量を手動で決定する指示が出ている場合は、ステップＳ３０７に進む。一方、ステップＳ３０６の判断の結果、充電する量を手動で決定する指示が出ていない場合は、ステップＳ３１２に進む。
【００３８】
次に、ステップＳ３０７において、第２の情報である充電側携帯機器１００の電池残量と第１の情報である電力供給側携帯機器１１０の電池残量との合算が充電側携帯機器１００の電池最大容量より小さいかどうかの判断を行う。この判断の結果、充電側携帯機器１００の電池最大容量より小さい場合は、ステップＳ３０８に進む。一方、ステップＳ３０７の判断の結果、充電側携帯機器１００の電池最大容量より小さくない場合は、ステップＳ３０９に進む。
【００３９】
次のステップＳ３０８は、充電側携帯機器１００の電池残量と電力供給側携帯機器１１０の電池残量とを合計しても、充電側携帯機器１００の電池最大容量、即ち満充電にならない場合の処理である。そこで、このステップＳ３０８においては、第１の電池情報として、図４（Ｃ）に示すように、充電側携帯機器１００の電池残量の情報４０６と現在指定中の充電量の情報４０７とを表示部１０１に表示する。この際、表示スケール４０５が充電側携帯機器１００の電池残量と電力供給側携帯機器１１０の電池残量との合計になるように設定する。ここで、充電側携帯機器１００の電池残量と電力供給側携帯機器１１０の電池残量との合計が、充電側携帯機器１００の電池残量と充電側携帯機器１００への最大充電可能量（要求可能な電力量）との合計と同義になる。
【００４０】
一方、ステップＳ３０９は、充電側携帯機器１００の電池残量と電力供給側携帯機器１１０の電池残量とを合計すると、充電側携帯機器１００の電池最大容量、即ち満充電を超える場合の処理である。そこで、このステップＳ３０９においては、図４（Ｃ）に示すように、充電側携帯機器１００の電池残量の情報４０６と現在指定中の充電量の情報４０７とを表示部１０１に表示する。この際、表示スケール４０５が充電側の充電池１０３の最大容量になるように設定する。この場合、充電側の充電池１０３の最大容量は、充電側携帯機器１００の電池残量と充電側携帯機器１００への最大充電可能量との合計と等しい。
【００４１】
図４（Ｃ）は、充電を開始する前に充電側携帯機器１００へ充電可能な量から実際に貰う配分を認識しながら手動で指定する第４の操作２０４によって表示される充電量表示の一例を示す図である。
【００４２】
図４（Ｃ）において、ステップＳ３０８では、表示スケール４０５は、充電側携帯機器１００の電池残量と充電側携帯機器１００へ充電可能な量との合計スケールにより正規化されている。これにより、指定する充電量が充電可能な量の全量に近いのか半分位なのかといったおおよその配分を認識できる。
【００４３】
また、ステップＳ３０７の比較結果で、充電側の充電池１０３の電池残量と電力供給側の充電池１１３の電池残量との合計が、充電池１０３の最大容量よりも多い場合、電力供給側の充電池１１３の電力により、充電池１０３を満充電にすることができる。そこで、ステップＳ３０９では、図４（Ｃ）の充電量を設定するための情報４０７を表示部１０１に表示し、このとき、表示スケール４０５を、充電池１０３の最大容量に設定する。これにより、充電量を設定する際に、現在の充電側携帯機器１００の電池残量に対して相対的にどの程度増加するのか、例えば、１．５倍に近いのか２倍位なのかといったおおよその増加量を認識することができる。なお、図４（Ｃ）に示す表示情報は、以下の数３に示す式によって表すことができる。
【００４４】
【数３】
2010119224.tif 000005
【００４５】
なお、図４（Ｃ）において、電池残量の情報４０６をより認識しやすく区別するために、現在指定中の充電量の情報４０７に相当する表示部分を点滅させてもよい。
【００４６】
次に、ステップＳ３１０において、キー入力などのユーザーインターフェースから充電量を確定させる指示が出ているかどうかの判断を行う。この判断の結果、確定させる指示が出ている場合は、ステップＳ３１１に進む。一方、ステップＳ３１０の判断の結果、確定させる指示が出ていない場合は、指示が出るまで待機する。
【００４７】
次に、ステップＳ３１１において、ユーザーによる第５の操作２０５に応じて、主制御部１０６は、充電を開始するように制御して、ステップＳ３１７に進む。そして、ステップＳ３１７において、図４（Ｅ）に示すように、残量検知部１０４において検知する充電側携帯機器１００の電池残量の情報４１２を表示部１０１に表示する。この際、表示スケール４１１が現在の充電側携帯機器１００の電池残量と今回の充電量との合計になるように設定する。
【００４８】
図４（Ｅ）は、第３の電池情報として、ユーザーによる第５の操作２０５に応じて充電を開始した後の充電経過表示の一例を示す図である。図４（Ｅ）において、時間の経過に伴い、空白４１３に該当する部分が減り、電池残量の情報４１２に該当する部分が広くなっていく。
【００４９】
また、図４（Ｅ）に示す電池残量の情報４１２は、充電前の充電側携帯機器１００の電池残量と今回の充電量との合計スケールで正規化されている。したがって、満充電ではなく中途な充電目標に対しても、現在経過中の充電量が相対的にどの程度の経過に相当するかを認識することができる。なお、図４（Ｅ）に示す表示情報は、以下の数４に示す式によって表すことができる。
【００５０】
【数４】
2010119224.tif 000006
【００５１】
このように図４（Ｅ）に示す例においては、現在（充電前）の充電側携帯機器１００の電池残量と今回の充電量との合計が、充電後の充電側携帯機器１００の電池残量と同義になる。
【００５２】
次に、ステップＳ３１８において、充電が完了したかどうかの判断を行う。この判断の結果、充電が完了した場合は、ステップＳ３１９に進む。一方、ステップＳ３１８の判断の結果、充電がまだ完了していない場合は、充電が完了するまで待機する。なお、充電が完了した後に、ユーザーの第６の操作２０６によって、充電側携帯機器１００と電力供給側携帯機器１１０とが離されるものとする。
【００５３】
次に、ステップＳ３１９において、キー入力などのユーザーインターフェースから電池残量の表示を、図４（Ｅ）に示す充電が完了した時の表示から、図４（Ａ）に示す表示に戻す指示が出ているかどうかの判断を行う。この判断の結果、表示を元に戻す指示が出ている場合は、前述したステップＳ３２１に進む。一方、ステップＳ３１９の判断の結果、表示を元に戻す指示が出ていない場合は、ステップＳ３２０に進む。
【００５４】
次に、ステップＳ３２０において、図４（Ｆ）に示すように、残量検知部１０４において検知する充電側携帯機器１００の電池残量の情報４１５を表示部１０１に表示する。この際、表示スケール４１４が、充電が完了した直後の充電側携帯機器１００の電池残量になるように設定する。
【００５５】
電池残量の情報４１５は、充電後の充電側携帯機器１００の電池残量のスケールで正規化されているので、満充電ではなく中途な充電目標に対して、現在の電池残量が相対的にどの程度の残量に相当するかを認識することができる。なお、図４（Ｅ）に示す表示スケール４１１と図４（Ｆ）に示す表示スケール４１４とは同じである。したがって、図４（Ｆ）に示す電池残量の情報４１５は、前述した数４に示す式によって表すことができる。
【００５６】
一方、ステップＳ３１２においては、充電側携帯機器１００の電池残量と電力供給側携帯機器１１０の電池残量との合算が、充電側携帯機器１００の電池最大容量より小さいかどうかの判断を行う。この判断の結果、充電側携帯機器１００の電池最大容量より小さい場合は、ステップＳ３１３に進む。一方、ステップＳ３１２の判断の結果、充電側携帯機器１００の電池最大容量より小さくない場合は、ステップＳ３１５に進む。
【００５７】
次のステップＳ３１３は、充電側携帯機器１００の電池残量と電力供給側携帯機器１１０の電池残量とを合計しても、充電側携帯機器１００の電池最大容量、即ち満充電にならない場合の充電量指定処理である。そこで、このステップＳ３１３においては、今回充電すべき量を電力供給側携帯機器１１０の電池残量と同じに設定し、ステップＳ３１４に進む。
【００５８】
次に、ステップＳ３１４において、図４（Ｄ）に示すように、充電側携帯機器１００の電池残量の情報４０９と今回指定の充電量の情報４１０とを表示部１０１に表示する。この際、表示スケール４０８が充電側携帯機器１００の電池残量と電力供給側携帯機器１１０の電池残量との合計になるように設定する。ここで、充電側携帯機器１００の電池残量と電力供給側携帯機器１１０の電池残量との合計が、充電側携帯機器１００の電池残量と充電側携帯機器１００への最大充電可能量との合計と同義になる。
【００５９】
一方、ステップＳ３１５は、充電側携帯機器１００の電池残量と電力供給側携帯機器１１０の電池残量とを合計すると、充電側携帯機器１００の電池最大容量、即ち満充電を超える場合の処理である。そこで、このステップＳ３１５においては、今回充電すべき量を充電側携帯機器１００の電池最大容量から充電側携帯機器１００の電池残量を除いたものと同じに設定し、ステップＳ３１６に進む。
【００６０】
次に、ステップＳ３１６において、図４（Ｄ）に示すように、充電側携帯機器１００の電池残量の情報４０９と今回指定の充電量の情報４１０とを表示部１０１に表示する。この際、表示スケール４０８が充電側の充電池１０３の最大容量になるように設定する。ここで、充電側の充電池１０３の最大容量が、充電側携帯機器１００の電池残量と充電側携帯機器１００への最大充電可能量との合計と同義になる。
【００６１】
図４（Ｄ）は、充電を開始する前に充電側携帯機器１００への充電可能量から実際に貰う配分を手動ではなく自動で指定する場合の充電量表示の一例を示す図である。
【００６２】
図４（Ｄ）において、表示スケール４０８は充電側携帯機器１００の電池残量と充電側携帯機器１００への充電可能量との合計スケールで正規化されている。これにより、今回指定した充電量によって、現在の充電側携帯機器１００の電池残量に対して相対的にどの程度増加するのか、例えば、１．５倍に近いのか２倍位なのかといったおおよその増加量を認識することができる。なお、図４（Ｄ）に示す表示情報は、以下の数５に示す式により表すことができる。
【００６３】
【数５】
2010119224.tif 000007
【００６４】
なお、図４（Ｄ）において、電池残量の情報４０９をより認識しやすく区別するために、今回指定の充電量の情報４１０に相当する表示部分を点滅させてもよい。
【００６５】
一方、ステップＳ３２１においては、ステップＳ３０１またはステップＳ３０３より遷移してきた場合は、前述したように図４（Ａ）に示す表示となるが、ステップＳ３１９より遷移してきた場合は、図４（Ｇ）に示す表示となる。ここで、図４（Ａ）に示す表示スケール４０１と図４（Ｇ）に示す表示スケール４１７とは同じである。
【００６６】
ステップＳ３２１では、図４（Ｇ）に示すように、表示スケール４１７を充電側の充電池１０３の最大容量に設定している。ところが、図４（Ｇ）における充電側携帯機器１００の電池残量の情報４１８では、図４（Ａ）に示す電池残量の情報４０２より増えた表示となる。
【００６７】
図５は、本実施形態において、充電操作中の電力供給側の主制御部１１６により行われる処理手順の一例を示すフローチャートである。
まず、ステップＳ５０１において、キー入力などのユーザーインターフェースから、充電側携帯機器１００の充電池１０３を充電する準備の指示が出ているかどうかの判断を行う。この判断の結果、充電する準備の指示が出ていない場合は、そのまま処理を終了する。一方、ステップＳ５０１の判断の結果、充電する準備の指示が出ている場合は、ステップＳ５０２に進む。
【００６８】
次に、ステップＳ５０２において、ユーザーの操作により充電側携帯機器１００が近接してきたか否かを判断する。この判断の結果、近接してきた場合は、ステップＳ５０３に進む。一方、ステップＳ５０２の判断の結果、近接していない場合は、近接するまで待機する。
【００６９】
次に、ステップＳ５０３において、無線通信部１１５は充電側の無線通信部１０５と通信し、電力供給側携帯機器１１０が充電側携帯機器１００に電力供給可能な機器としてネゴシエーションが成功したかどうかを判断する。この判断の結果、ネゴシエーションが成功した場合は、ステップＳ５０４に進む。一方、ステップＳ５０３の判断の結果、ネゴシエーションが成功しなかった場合は、処理を終了する。
【００７０】
次に、ステップＳ５０４において、無線通信部１１５は充電側の無線通信部１０５と通信して、電力供給側携帯機器１１０の電池残量及び電池最大容量の情報を送信し、ステップＳ５０５に進む。そして、ステップＳ５０５において、キー入力などのユーザーインターフェースから充電側携帯機器１００の充電池１０３の充電を開始する要求が出ているかどうかの判断を行う。この判断の結果、充電を開始する要求が出ている場合は、ステップＳ５０６に進む。一方、ステップＳ５０５の判断の結果、充電を開始する要求が出ていない場合は、そのまま待機する。
【００７１】
次に、ステップＳ５０６において、主制御部１１６は充電を開始するように制御して、ステップＳ５０７に進む。そして、ステップＳ５０７において、充電が完了したかどうかの判断を行う。この判断の結果、充電が完了した場合は、処理を終了する。一方、ステップＳ５０７の判断の結果、充電が完了していない場合は完了するまでそのまま待機する。
【００７２】
以上のように本実施形態によれば、ネゴシエーションが確立した後に、電力供給側携帯機器１１０の電池最大容量で正規化して表示する。これにより、電力供給側携帯機器の電池残量が全量に近いのか半分位なのかといった供給マージンを認識することができる。
【００７３】
また、充電側携帯機器１００の電池残量と電力供給側携帯機器１１０への充電可能量との合計で正規化して表示することができる。これにより、指定した充電量によって、現在の充電側携帯機器の電池残量に対して相対的にどの程度増加するのかを認識することができる。
【００７４】
さらに、充電進捗状況を充電完了後の電池残量で正規化して表示することができるので、まだ半分なのか、終了に近いのかといった満充電にならない中途充電の進捗状況を認識することができる。なお、本実施形態は、充電ステータスに適応した表示を行うものであるので、表示する順番、表示する種類の数は、本実施形態で説明した範囲に限定されるものではない。
【００７５】
（第２の実施形態）
本実施形態では、さらに、充電の経過時間を表示する選択を行うことができる例について説明する。なお、本実施形態における充電側携帯機器及び電力供給側携帯機器の構成及び充電処理等については、第１の実施形態と同様であるため、説明は省略する。
【００７６】
図６は、本実施形態において、充電を開始した後の充電側の主制御部１０６による表示選択の処理手順の一例を示すフローチャートである。本実施形態では、図３のステップＳ３１７、Ｓ３１８の代わりに、図６に示す処理を行う。
まず、図３のステップＳ３１１において充電を開始すると、ステップＳ６０１において、主制御部１０６は、残量検知部１０４が検出した充電側携帯機器１００の電池残量の時間当たりの増加量を演算し、ステップＳ６０２に進む。なお、時間当たりの増加量は、以下の数６に示す式によって表すことができる。
【００７７】
【数６】
2010119224.tif 000008
【００７８】
次に、ステップＳ６０２において、主制御部１０６は、充電量を基に充電完了までの所要時間を演算し、ステップＳ６０３に進む。なお、充電完了までの所要時間は、以下の数７に示す式によって表すことができる。
【００７９】
【数７】
2010119224.tif 000009
【００８０】
次に、ステップＳ６０３において、キー入力などのユーザーインターフェースから、充電側携帯機器１００の電池の残量表示から経過時間表示に切替える要求が出ているかどうかの判断を行う。この判断の結果、切替え要求が出ている場合は、ステップＳ６０７に進む。一方、ステップＳ６０３の判断の結果、切替え要求が出ていない場合はステップＳ６０４に進む。
【００８１】
次に、ステップＳ６０４において、図４（Ｅ）に示すように、充電側携帯機器１００の電池残量の情報４１２を表示部１０１に表示する。この際、表示スケール４１１が現在の充電側携帯機器１００の電池残量と今回の充電量との合計になるように設定する。なお、ステップＳ６０４の処理は、第１の実施形態のステップＳ３１７の処理と同様であり、図４（Ｅ）に示す例では、時間が経過するに従って、空白４１３の部分が減り、電池残量の情報４１２の部分が広くなっていく。
【００８２】
次に、ステップＳ６０５において、充電が完了したかどうかの判断を行う。この判断の結果、充電が完了した場合は、そのまま表示選択処理を終了する。そして、図３のステップＳ３１９に進む。一方、ステップＳ６０５の判断の結果、充電が完了していない場合は、ステップＳ６０３に戻る。
【００８３】
一方、ステップＳ６０７においては、図４（Ｅ）に示すように、ステップＳ６０２の所要時間演算以降の経過時間の情報４１２を表示部１０１に表示する。この際、表示スケール４１１が充電完了までの所要時間になるように設定する。なお、図４（Ｅ）に示す表示情報は、以下の数８に示す式によって表すことができる。
【００８４】
【数８】
2010119224.tif 000010
【００８５】
次に、ステップＳ６０８において、充電が完了したかどうかの判断を行う。この判断の結果、充電が完了した場合は、そのまま表示選択処理を終了する。そして、図３のステップＳ３１９に進む。一方、ステップＳ６０８の判断の結果、充電が完了していない場合はステップＳ６０６に進む。
【００８６】
次に、ステップＳ６０６において、キー入力などのユーザーインターフェースから充電側携帯機器１００の充電の経過時間表示を経過容量表示（電池の残量表示）に切替える要求が出ているかどうかの判断を行う。この判断の結果、切替え要求が出ている場合はステップＳ６０４に進む。一方、ステップＳ６０６の判断の結果、切替え要求が出ていない場合は、ステップＳ６０７に進む。
【００８７】
以上のように充電側機器の充電池が満充電にならないで中途充電でも、充電進捗状況を所要時間で正規化して表示することが出来るという効果がある。
【００８８】
（第３の実施形態）
本実施形態では、充電を開始する前に、電池残量に対する機器の動作時間を識別できるように表示する例について説明する。本実施形態における充電側携帯機器及び電力供給側携帯機器の構成及び充電処理等については、第１の実施形態と同様であるため、説明は省略する。
【００８９】
図７は、図２のユーザーによる第４の操作２０４に応じて行われる充電側の主制御部１０６の動作時間を表示する処理手順の一例を示すフローチャートである。本実施形態では、第１の実施形態における図３のステップＳ３０７の判断の結果、充電側の電池残量と供給側の電池残量との合計が、充電側の充電池１０３の最大容量よりも小さい場合に、図７の処理に移行する。
【００９０】
まず、ステップＳ７０１において、無線通信部１０５は電力供給側の無線通信部１１５と通信して、電力供給側携帯機器１１０の電池残量当たりの動作時間の情報を受信し、ステップＳ７０２に進む。
【００９１】
次に、ステップＳ７０２において、図４（Ｃ）において、充電側携帯機器１００の電池残量での充電側携帯機器１００の動作時間の情報４０６を表示部１０１に表示する。この際、表示スケール４０５が現在の充電側携帯機器１００の電池残量での充電側携帯機器１００の動作時間と電力供給側携帯機器１１０の電池残量での電力供給側携帯機器１１０の動作時間との合計になるように設定する。
【００９２】
次に、ステップＳ７０３において、キー入力などのユーザーインターフェースから充電量を手動により確定させる指示が出ているかどうかの判断を行う。この判断の結果、確定させる指示が出ている場合は、そのまま表示の切替え処理を終了する。そして、図３のステップＳ３１１に進む。一方、ステップＳ７０３の判断の結果、確定させる指示が出ていない場合は、ステップＳ７０４に進む。
【００９３】
次に、ステップＳ７０４において、キー入力などのユーザーインターフェースから充電量を変更する指示が出ているかどうかの判断を行う。この判断の結果、充電量を変更する指示が出た場合は、ステップＳ７０５に進む。一方、ステップＳ７０４の判断の結果、充電量を変更する指示がない場合は、ステップＳ７０３に戻る。
【００９４】
次に、ステップＳ７０５において、充電側携帯機器１００の電池残量での充電側携帯機器の動作時間を再計算し、変更前の充電側携帯機器１００の動作時間に充電量の変更による変化時間を加える。さらに、電力供給側携帯機器１１０の電池残量での電力供給側携帯機器１１０の動作時間を再計算し、変更前の電力供給側携帯機器１１０の動作時間に充電量の変更による変化時間を減じる。また、充電側携帯機器１００の電池残量での充電側携帯機器１００の動作時間の情報４０６と前述した変化時間の情報４０７とを表示部１０１に表示する。このように、図４（Ｃ）に示す情報４０７は、第１の実施形態では、指定中の充電量として説明したが、本実施形態では、前述した変化時間になる。
【００９５】
以上のように本実施形態によれば、充電側携帯機器１００の動作可能時間と電力供給側携帯機器１１０の動作可能時間との合計で正規化して表示可能にした。これにより、指定した充電量によって充電側携帯機器と電力供給側携帯機器との動作時間の相対的な動作時間比率を認識することができる。
【００９６】
なお、図４（Ｃ）の表示スケール４０５を現在の充電側携帯機器１００の電池残量での動作時間と電力供給側携帯機器１１０から充電側携帯機器１００へ充電可能な最大電力量の電力供給側携帯機器１１０の動作時間との合計に設定してもよい。この場合も指定した充電量によって充電側携帯機器１００の動作時間の変化を認識しながら充電量を指定することができる。また、図３のステップＳ３０７の判断の結果、充電側の電池残量と供給側の電池残量の合計が充電側の充電池１０３の最大容量よりも小さい場合にも、基本的には図７の処理と同様の処理を行う。このとき、表示スケールは、充電側での動作時間になる。
【００９７】
（本発明に係る他の実施形態）
前述した本発明の実施形態における充電装置を構成する各手段、並びに充電装置の制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００９８】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００９９】
なお、本発明は、前述した実施形態の機能を実現するソフトウェアのプログラム（実施形態では図３、図５〜７に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【０１００】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１０１】
その場合、プログラムの機能を有していれば、オブジェクトコード、インタプリタにより実行されるプログラム、ＯＳに供給するスクリプトデータ等の形態であってもよい。
【０１０２】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１０３】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【０１０４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【０１０５】
また、その他の方法として、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１０６】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１０７】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０８】
【図１】本発明の第１の実施形態に係る充電側及び電力供給側の携帯機器の構成例を示すブロック図である。
【図２】充電を実行する際にユーザーにより行われる操作の概要を説明する図である。
【図３】本発明の第１の実施形態において、充電操作中の充電側の主制御部により行われる処理手順の一例を示すフローチャートである。
【図４】本発明の第１の実施形態において、充電操作ステータスに応じて表示可能な電池残量の表示イメージの一例を示す図である。
【図５】本発明の第１の実施形態において、充電操作中の電力供給側の主制御部により行われる処理手順の一例を示すフローチャートである。
【図６】本発明の第２の実施形態において、充電を開始した後の充電側の主制御部による表示選択の処理手順の一例を示すフローチャートである。
【図７】ユーザーによる第４の操作に応じて行われる充電側の主制御部の動作時間を表示する処理手順の一例を示すフローチャートである。
【符号の説明】
【０１０９】
１００  充電側携帯機器
１０１  表示部
１０２  充電部
１０３  充電池
１０４  残量検知部
１０５  無線通信部
１０６  主制御部
１１０  電力供給側携帯機器
１１１  表示部
１１２  電力供給部
１１３  充電池
１１４  残量検知部
１１５  無線通信部
１１６  主制御部
【図１】
2010119224.tif 000011
【図２】
2010119224.tif 000012
【図３】
2010119224.tif 000013
【図４】
2010119224.tif 000014
【図５】
2010119224.tif 000015
【図６】
2010119224.tif 000016
【図７】
2010119224.tif 000017